(57)【要約】【課題】冷凍室３を循環する冷気の一部を漏出させて冷水タンク３１に当てる構造にして冷水タンクを効果的に冷やせる間接冷却方式の１ドア冷蔵庫を提供する。【解決手段】ファン１２により冷却器１１を通過してくる冷気を庫内に循環させる間接冷却方式を採用した１ドア冷蔵庫であって、庫内をファンにより冷気を個別に循環させる冷凍室３と冷蔵室４とに分割し、冷凍室に内側ドア９を設け、冷蔵庫ドア１の内側の、冷凍室の前方位置に対応する場所に冷水タンク３１を設け、冷凍室の内側ドアの、当該冷凍室を循環する冷気の一部を漏出させて冷水タンクに当てることができる場所に冷気漏出口２５を設けて、冷水タンク３１の水を冷凍室３を循環する冷気の一部を利用して効果的に冷やせるようにした。【選択図】      図２
2005024119.tif 000002
【特許請求の範囲】
【請求項１】
ファンにより冷却器を通過してくる冷気を庫内に循環させる間接冷却方式を採用した１ドア冷蔵庫であって、
庫内を前記ファンにより冷気を個別に循環させる冷凍室と冷蔵室とに分割し、
前記冷凍室に内側ドアを設け、
冷蔵庫ドアの内側の、前記冷凍室の前方位置に対応する場所に冷水タンクを設け、
前記冷凍室の前面の、当該冷凍室を循環する冷気の一部を漏出させて前記冷水タンクに当てることができる場所に冷気漏出口を設けたことを特徴とする１ドア冷蔵庫。
【請求項２】
庫内上部に冷凍室、下部に冷蔵室を備え、前記冷気漏出口から漏出して前記冷水タンクに当たった後の冷気を前記冷蔵室の循環冷気と合流させるようにしたことを特徴とする請求項１に記載の１ドア冷蔵庫。
【発明の詳細な説明】
【０００１】
【発明の属する技術分野】
本発明は、間接冷却方式で冷凍冷蔵機能を持つ１ドア冷蔵庫に関する。
【０００２】
【従来の技術】
従来、冷水タンク付き冷蔵庫として特開平９−１８９４７１号公報に記載されたものが知られている。この従来の冷水タンク付き冷蔵庫は、２ドア冷凍冷蔵庫であって、冷蔵室ドアの内側上部に冷水タンクを設け、冷蔵室を循環する冷気をこれに当てて冷却する構成である。
【０００３】
【発明が解決しようとする課題】
ところが、庫内を上部の冷凍室と下部の冷蔵室とに区分し、ファンにより冷却器を通過してくる冷気を各室内に個別に循環させる間接冷却方式を採用した１ドア冷蔵庫に対して、従来のような冷水タンクを冷蔵庫ドアの内側上部に設けるとすれば、ちょうど冷凍室の内側ドアの前方位置に冷水タンクが位置することになり、冷気の流通がもっとも少ない場所に冷水タンクが設置されることになり、庫内冷気で冷水タンクを効果的に冷やすことができない技術的課題があった。
【０００４】
本発明はこのような従来の技術的課題に鑑みてなされたもので、冷凍室を循環する冷気の一部を漏出させて冷水タンクに当てる構造にして冷水タンクを効果的に冷やすことができる間接冷却方式の１ドア冷蔵庫を提供することを目的とする。
【０００５】
【特許文献１】
特開平９−１８９４７１号公報
【０００６】
【課題を解決するための手段】
請求項１の発明は、ファンにより冷却器を通過してくる冷気を庫内に循環させる間接冷却方式を採用した１ドア冷蔵庫であって、庫内を前記ファンにより冷気を個別に循環させる冷凍室と冷蔵室とに分割し、前記冷凍室に内側ドアを設け、冷蔵庫ドアの内側の、前記冷凍室の前方位置に対応する場所に冷水タンクを設け、前記冷凍室の前面の、当該冷凍室を循環する冷気の一部を漏出させて前記冷水タンクに当てることができる場所に冷気漏出口を設けたものである。
【０００７】
請求項２の発明は、請求項１の１ドア冷蔵庫において、庫内上部に冷凍室、下部に冷蔵室を備え、前記冷気漏出口から漏出して前記冷水タンクに当たった後の冷気を前記冷蔵室の循環冷気と合流させるようにしたものである。
【０００８】
【発明の実施の形態】
以下、本発明の実施の形態を図に基づいて詳説する。図１〜図３は本発明の１つの実施の形態の間接冷却方式１ドア冷蔵庫を示している。本実施の形態の１ドア冷蔵庫は、開閉ドア１は１つであり、筐体２の前面開口部に取り付けてある。筐体２は一体構造であり、その上部に冷凍室（Ｆ室）３、下部に冷蔵室（Ｒ室）４を設け、中間部にチルド室（Ｃ室）５を設け、また中間部には冷蔵室４とチルド室５の循環冷気を戻すためのリターンダクト６も形成してある。
【０００９】
上部の冷凍室３には内箱７を設け、内箱７の背面と冷蔵庫の上背部に当たる部分の筐体２の内面との間に機械室８を設けてある。内箱７の前面開口部には冷凍室内側ドア９を取り付け、冷蔵室４から分離している。
【００１０】
機械室８の空間には冷却器１１と庫内空気を強制循環させるファン１２を設置してある。冷却器１１は冷蔵庫の下背部に設置されているコンプレッサ１３と冷凍サイクルのための配管を接続し、冷媒を循環させるようにしてある。
【００１１】
チルド室５の奥方の位置にチルド室、冷蔵室兼用冷気吹出口１５が設けてある。この冷気吹出口１５と機械室８とは冷気連通路（図示せず）にて接続してある。冷凍室３における内箱７の背面には、冷凍室３の全体に冷気を吹き出すルーバー付き吹出口１６、冷凍室３の循環冷気を冷却器１１のホット側に戻す吐出口１７が設けてある。
【００１２】
冷凍室３の内箱７の前面開口部の上縁部には、図３に示す構造の上枠材２０が取り付けてある。この上枠材２０は、アングル部材の枠本体２１の上縁部から取付片２２を展出させ、枠本体２１のＬ縁部の上面にシール材２３を取り付けた構造である。
【００１３】
上枠材２０のシール材２３には、その一部に冷気吹出用隙間として切欠部２４が形成してある。また枠本体２１の一部には冷気吹出用の通気穴２５が形成してある。冷凍庫内側ドア９のパッキン９Ａはこの上枠材２０に密着し、後述する冷水タンク冷却のために吹き出す一部の冷気を除いて冷気の漏出を防止する。
【００１４】
冷蔵庫ドア１の上部内側には冷水タンク３１が取り付けてある。この冷水タンク３１の取付位置は、冷凍室３の前面上部の上枠材２０の通気穴２５を通って冷凍室３内から吹き出す冷気の流れが当たる位置である。冷蔵庫ドア１の冷水タンク３１よりも下側の位置には卵ポケット３２が取り付けてある。
【００１５】
冷水タンク３１内に貯溜される水は、配管３３によってドア前面に設けられた給水部３４に流下する。そこで給水部３４で栓（図示せず）を開栓すれば庫内で冷やされた冷水を、冷蔵庫ドア１を開かずに取り出すことができる。
【００１６】
次に、上記構成の１ドア冷蔵庫による冷却動作について説明する。コンプレッサ１３で圧縮した冷媒を図示していない配管を通じて機械室８内の冷却器１１に供給し、この冷却器１１で熱交換され高温になった冷媒を再びコンプレッサ１３に戻す冷凍サイクルの運転を行う。
【００１７】
機械室８内のファン１２は庫内空気を強制循環させ、その際には冷却器１１の部分を通過させることによって熱交換によって庫内空気を冷やし、冷気にしてファン１２のもとに戻し、ここから冷気を再び送り出す。
【００１８】
（１）冷凍室３の冷却：図２に示すように、冷凍室３の背方のルーバー付き吹出口１６から冷気が室内に導入され、矢印で示す循環経路にて室内を冷やした後、吐出口１７から機械室８に戻され、ここで冷却器１１を通って再び冷やされてファン１２のところに戻る。
【００１９】
（２）冷蔵室４の冷却：ファン１２から送り出される冷気の一部が機械室８から冷気連通路を通ってチルド室、冷蔵室兼用冷気吹出口１５に導入される。この冷気吹出口１５で冷気は二手に分かれ、一方は下方に吹き出して冷蔵室４内に導入される。図２に示すように、冷蔵室４内に導入された冷気は、矢印で示す循環経路にて室内を冷やした後、リターンダクト６の部分に戻り、このリターンダクト６を通じて背方の機械室８に排出される。機械室８内では、冷却器１１を通って再び冷やされた後、ファン１２のところに戻る。
【００２０】
（３）チルド室５の冷却：チルド室、冷蔵室兼用冷気吹出口１５に送り出されてきた冷気の一部がこの吹出口１５から前方のチルド室５内に送り出される。そしてチルド室５内を矢印で示すように循環してリターンダクト６に到り、このリターンダクト６で冷蔵室４からの冷気と合流し、背方の機械室８に戻る。機械室８内では、冷却器１１を通って再び冷やされた後、ファン１２のところに戻る。
【００２１】
（４）冷水タンク３１の冷却：図２に示すように、冷凍室３内を循環する冷気の一部は矢印３５に示すように、冷凍室内側ドア９の上部の上枠材２０の通気穴２５を通してこの内側ドア９と冷蔵庫ドア１の内側との間の空間の上部に吹き出し、その部分に設けられている冷水タンク３１に吹き付け、その中に貯溜されている水を冷やす。冷水タンク３１を経た冷気は内側ドア９に沿って流下し、下方の卵ポケット３２をも冷やした後、冷蔵室４やチルド室５を循環する冷気と合流し、リターンダクト６を経て機械室８に戻る。
【００２２】
こうして、本実施の形態の１ドア冷蔵庫では、ファン１２により冷気を庫内に循環させる間接冷却方式を採用することで冷却器１１の霜取りを不要にし、ユーザーの便利さを向上できる。
【００２３】
また本実施の形態の１ドア冷蔵庫では、冷凍室３を循環して冷却する冷気の一部を内側ドア９よりも外に吹き出させ、その冷気で冷水タンク３１を冷やすことにより冷水タンク３１の水を効果的に冷やすことができ、従来例のような庫内に冷水タンクを設置する２ドア、３ドア冷蔵庫と同様な冷たい水を取り出すことができるようになる。しかも、通常、間接冷却方式の１ドア冷蔵庫では、一番高温になりがちな冷蔵庫ドア１と冷凍室内側ドア９の間の上部空間を冷凍室３内を循環する冷気の一部を利用して冷やすことができ、この空間の冷気で卵ポケット３２に保存する卵も適温に冷やすことができ、庫内スペースの効率的な利用も可能となる。
【００２４】
加えて、本実施の形態では、通気穴２５は冷蔵庫ドア１を開いた状態でユーザーから直接見えない部分に設けてあり、また冷凍室３の冷気が直接に内側ドア９の内側上部に直接当たらない循環で、冷凍室３の温度の低下、運転率の増大でも扉内側上部がマイナス温度にならず、凍結するのを防止ことができ、また内側ドア９の外側の露着も防止できる。
【００２５】
図４に示す表は、本願出願人の従来型の１ドア冷蔵庫と本願発明の実施の形態に係る改良型との庫内容積３種類について、冷水タンク（Ｗａｔｅｒ  Ｔａｎｋ）設置部、卵ポケット（Ｅｇｇ  Ｐｏｃｋｅｔ）設置部での温度測定結果を示している。
【００２６】
この実験結果から、本発明による１ドア冷蔵庫では、特に冷水タンク設置部での庫内温度を従来に比べて１／２以下の温度まで冷却できることが明らかになった。
【００２７】
なお、本発明は上記の実施の形態に限定されず、冷凍室を冷却する冷気の一部を通気穴から吹き出させ、その吹き出す冷気が当たる位置に冷水タンクを設ける構成であれば冷凍室の設置場所や冷水タンクの設置場所が限定されることはなく、間接冷却方式の１ドア冷蔵庫に広く応用することができる。
【００２８】
【発明の効果】
以上のように本発明によれば、間接冷却方式の１ドア冷蔵庫にあって、冷蔵庫ドアの内側の、冷凍室の前方位置に対応する場所に冷水タンクを設け、冷凍室の内側ドアの、当該冷凍室を循環する冷気の一部を漏出させて前記冷水タンクに当てることができる場所に冷気漏出口を設けたので、冷水タンクを冷凍室の冷気の一部を利用して冷却することができ、１ドア冷蔵庫でありながらよく冷えた水の供給が可能である。
【００２９】
また、庫内上部に冷凍室、下部に冷蔵室を備えた間接冷却方式の１ドア冷蔵庫にあって、冷気漏出口から漏出して冷水タンクに当たった後の冷気が冷蔵室の循環冷気と合流させるようにしたので、従来、庫内でもっとも高温となり、冷蔵庫として有効利用ができなかった庫内前部の上方空間に冷水タンクを設置してもその中の水をよく冷やすことができ、冷水タンク設置によるスペースの圧迫を避けることができ、庫内スペースの効率的な利用が可能となる。
【図面の簡単な説明】
【図１】本発明の１つの実施の形態の正面図（冷蔵庫ドアを取り除いた状態）。
【図２】図１におけるＩＩ−ＩＩ線断面図（ただし、ドア付き）。
【図３】上記実施の形態で用いられる上枠材の一部切欠せる斜視図。
【図４】本発明の１つの実施の形態の１ドア冷蔵庫と従来型の庫内温度の測定結果の比較を示す表。
【符号の説明】
１  冷蔵庫ドア
２  筐体
３  冷凍室
４  冷蔵室
５  チルド室
６  リターンダクト
７  内箱
８  機械室
１１  冷却器
１２  ファン
１３  コンプレッサ
１５  冷気吹出口
１６  吹出口
１７  吐出口
２０  上枠材
２１  枠本体
２２  取付片
２３  シール材
２４  切欠部
２５  通気穴
３１  冷水タンク
３２  卵ポケット
３４  給水部
【図１】
2005024119.tif 000003
【図２】
2005024119.tif 000004
【図３】
2005024119.tif 000005
【図４】
2005024119.tif 000006